(57)【要約】【課題】駆動して移動させた可動役物を停止位置にて確実に保持することが可能な可動体駆動機構を備えた遊技機を実現する。【解決手段】可動体Ａを駆動するための駆動源３０と、可動体Ａと駆動源３０との間を連結して、駆動源３０の動力を可動体Ａに伝達する駆動伝達手段４０と、可動体Ａの停止時に駆動伝達手段４０をロックして可動体Ａを停止位置に保持するロック状態と、可動体Ａの動作時にロック状態を解除する非ロック状態と、を切り換え可能なロック手段５０と、を備え、ロック手段は、駆動源３０による駆動力により、ロック状態と非ロック状態とを切り替えられるようにした。【選択図】図７
2014033826.tif 000002
【特許請求の範囲】
【請求項１】
可動体と、
該可動体を駆動するための駆動源と、
前記可動体と前記駆動源との間を連結して、前記駆動源の動力を前記可動体に伝達する駆動伝達手段と、
前記可動体の停止時に前記駆動伝達手段をロックして前記可動体を停止位置に保持するロック状態と、前記可動体の動作時に当該ロック状態を解除する非ロック状態と、を切り換え可能なロック手段と、
を備え、
前記ロック手段は、前記駆動源による駆動力により、前記ロック状態と前記非ロック状態とを切り替えられることを特徴とする遊技機。
【請求項２】
前記ロック手段は、
前記可動体が、前記駆動伝達手段により初期位置から駆動されて前記停止位置に至った時に、前記非ロック状態から前記ロック状態に切り替えられ、
前記可動体が前記停止位置から前記初期位置に向けて駆動されるのに先だって前記ロック状態から前記非ロック状態に切り替えられること特徴とする請求項１に記載の遊技機。
【発明の詳細な説明】
【技術分野】
【０００１】
本発明は、可動体駆動機構によって駆動される可動役物を備えた遊技機に関する。
【背景技術】
【０００２】
従来、駆動機構によって駆動する可動役物を備え、演出内容に基づいて可動役物を動作させることで効果的に演出を行うパチンコ遊技機等が知られている。
このような可動役物を備えた遊技機においては、演出上、この可動役物を駆動して所定の最大駆動位置まで移動後、その位置で可動役物を停止させる必要がある場合がある。
可動役物の停止時には、駆動源たるモータを停止させることになるが、特に上下方向に移動する可動役物などにあって、最も高い位置まで上昇させて駆動源を停止した場合には、その重量によって駆動機構を構成するギヤ等の駆動伝達部材が逆回転するなどし、可動役物が停止位置から下降してしまうという問題がある。
従って、そのような場合でも、可動役物をその停止位置に確実に保持することが可能な可動体駆動機構が求められている。
かかる課題に対し、例えば特許文献１には、定常位置とその下方の作動位置との間で、可動体を駆動手段によって往復駆動させる遊技機において、駆動手段の非作動時には、可動体に設けた磁石によって、可動体を支持するベース体に設けた磁性金属を吸着することにより、可動体を定常位置に保持するようにした遊技機が提案されている。
【先行技術文献】
【特許文献】
【０００３】
【特許文献１】特開２００９−１２５１９１公報
【発明の概要】
【発明が解決しようとする課題】
【０００４】
しかしながら、特許文献１に記載されるような、磁石を使った可動体の保持では、より大型の可動体を上昇位置に保持することが出来ず、あるいは、より強力な磁石が必要になるという問題がある。
本発明は、かかる問題点を鑑みて、磁石等を用いることなく、駆動して移動させた可動役物を停止位置にて確実に保持することが可能な可動体駆動機構を備えた遊技機を実現することを目的とする。
【課題を解決するための手段】
【０００５】
上記の課題を解決するために、請求項１の発明は、可動体と、該可動体を駆動するための駆動源と、前記可動体と前記駆動源との間を連結して、前記駆動源の動力を前記可動体に伝達する駆動伝達手段と、前記可動体の停止時に前記駆動伝達手段をロックして前記可動体を停止位置に保持するロック状態と、前記可動体の動作時に当該ロック状態を解除する非ロック状態と、を切り換え可能なロック手段と、を備え、前記ロック手段は、前記駆動源による駆動力により、前記ロック状態と前記非ロック状態とを切り替えられる遊技機を特徴とする。
また、請求項２の発明は、前記ロック手段は、前記可動体が、前記駆動伝達手段により初期位置から駆動されて前記停止位置に至った時に、前記非ロック状態から前記ロック状態に切り替えられ、前記可動体が前記停止位置から前記初期位置に向けて駆動されるのに先だって前記ロック状態から前記非ロック状態に切り替えられる請求項１に記載の遊技機を特徴とする。
【発明の効果】
【０００６】
上記のように構成したので、本発明によれば、磁石等を用いることなく、駆動して移動させた可動体を停止位置にて確実に保持することが可能な可動体駆動機構を備えた遊技機を実現することが出来る。
【図面の簡単な説明】
【０００７】
【図１】本発明の実施形態に係るパチンコ遊技機の全体正面図。
【図２】本発明の可動体駆動機構を示す概略斜視図。
【図３】図２に示す可動体駆動機構における駆動伝達系を詳細に説明する透過斜視図。
【図４】停止状態（ロック状態）における可動体駆動機構の駆動伝達系を詳細に説明する透過斜視図。
【図５】初期状態における駆動伝達系を詳細に説明する図。
【図６】停止状態における駆動伝達系を詳細に説明する図。
【図７】駆動伝達系の各要素を説明する分解斜視図。
【図８】時間差ギヤとしての第２ギヤの構成を説明する図。
【図９】扇形の第５ギヤの拡大図。
【図１０】可動体が初期位置に存在する場合における駆動伝達系及びロック機構を示す図。
【図１１】可動体が上方に向けて移動をしている期間の駆動伝達系及びロック機構を示す図。
【図１２】可動体が最大駆動位置に達して停止した時点での駆動伝達系及びロック機構を示す図。
【図１３】可動体が最大駆動位置から初期位置に復帰するに先だって第５ギヤのロックを解除する過程における駆動伝達系及びロック機構を示す図。
【図１４】可動体が初期位置に向けて移動をしている期間の駆動伝達系及びロック機構を示す図。
【図１５】可動体が初期位置に達して停止した時点での駆動伝達系及びロック機構を示す図。
【発明を実施するための形態】
【０００８】
以下に、図面を参照して、本発明の実施の形態を詳細に説明する。
図１は、本発明の実施形態に係るパチンコ遊技機の全体正面図である。
この図１に示すパチンコ遊技機１は、矩形形状の枠２を有し、この枠２の窓孔に対して遊技盤３が着脱可能に取り付けられている。
遊技盤３の前面側には、図示しないガラス枠が開閉可能に取り付けられている。また遊技盤３の下部には、遊技球を貯留する受け皿４と、この受け皿４の遊技球を発射する発射レバー５等が設けられている。
受け皿４の上面には、操作手段として例えば遊技者自身に操作を行わせて遊技に対する参加感を演出する演出ボタン６が設けられている。また、図示しないが受け皿４の上面には、遊技球の購入ボタン、購入取り消しボタン、受け皿４内の遊技球を下方から外部に抜くための球抜きボタン等が設けられている。
遊技盤３の裏面には、液晶画面、主制御基板とサブ制御基板等、遊技の進行、演出に関わる裏部品を組み付けた合成樹脂製の機構板（何れも図示せず）が装着されている。遊技盤３における遊技領域３ａの周囲には、外レールＲ１及び内レールＲ２が設けられている。これら外レールＲ１及び内レールＲ２は、発射レバー５を操作したときに発射装置から発射された遊技球を遊技領域３ａの上部に案内したり、アウト口１８に案内したりする。
【０００９】
遊技盤３のほぼ中央には、画像表示器１１が配置されている。画像表示器１１は、例えば、液晶表示装置等の液晶表示パネルにより構成され、通常動作状態の時は、特別図柄に応じた装飾図柄、例えば数字図柄、アルファベット図柄、キャラクター図柄等の画像が表示される。また、所謂リーチ状態や特別遊技状態の時は、それぞれの遊技状態であることを示す演出画像等も表示される。
画像表示器１１の下方に設けられたステージ１９からは、可動体としての可動役物Ａが出没可能に構成されており、本発明は、この可動役物Ａを駆動するための駆動機構に関するものである。
ステージ１９から現れた可動体Ａは、画像表示装置１１の前面を覆って、画像表示装置１１に表示された画像と協同した演出を行うことが出来る。
ステージ１９のさらに下方には、変動入賞装置１２が配置されている。変動入賞装置１２は、上始動口１３と、左右一対の開閉爪（可動片）を有する電動式チューリップ（以下、「電チュー」と称する）１７とを備えて構成される。
上始動口１３は、遊技球が入賞したときに第１特別図柄表示器２１の第１特別図柄を変動表示させる権利を発生させる。また電チュー１４は、遊技球が入賞したときに第２特別図柄表示器２２の第２特別図柄を変動表示させる権利を発生させる。
このため、上始動口１３の内部には、遊技球の入球を検出する第１始動口スイッチ（ＳＷ）が設けられている。また電チュー１４の内部には、遊技球の入球を検出する第２始動口スイッチ（ＳＷ）が設けられている。
【００１０】
電チュー１４は、普通図柄表示器２３の普通図柄が所定態様で停止したときに所定時間、開成動作するように構成されている。
なお、本実施形態では、上始動口１３及び電チュー１４の内部にそれぞれ別々に始動口ＳＷを設けるようにしているが、始動口ＳＷは共有であってもよい。
画像表示器１１の左側には、後述する普通図柄表示器２３を作動させるためのゲート１５が設けられている。ゲート１５は、その内部にゲートスイッチが設けられている。
また変動入賞装置１２の下方には、特別遊技状態のときに開成状態になる大入賞装置の大入賞口１６が配置されている。
さらに遊技盤３の遊技領域３ａには、一般入賞口１７が配置されていると共に、風車や図示しない多数の遊技釘が突設されている。遊技釘は、遊技球の落下速度を遅くすると共に、落下方向を複雑に変化させて遊技進行上の興趣を高めている。
【００１１】
遊技盤３の右側下方の遊技領域外には、第１特別図柄の変動と表示を行う第１特別図柄表示器２１、第２特別図柄の変動と表示を行う第２特別図柄表示器２２、及び普通図柄の変動と表示を行う普通図柄表示器２３が設けられている。
第１特別図柄表示器２１及び第２特別図柄表示器２２は、特別図柄を変動表示させ所定時間経過後に当該変動表示を停止させることにより特別図柄が当たりに当選したか否か表示する。
普通図柄表示器２３は、遊技球がゲートＳＷを通過したときに、普通図柄を変動表示させ所定時間経過後に当該変動表示を停止させることにより普通図柄が当たりに当選したか否か表示する。
【００１２】
第１特別図柄保留ランプ２４は、第１特別図柄の変動表示を開始させる権利（保留球）の保留個数を表示する。第２特別図柄保留ランプ２５は、第２特別図柄の変動表示を開始させる権利の保留個数を表示する。なお、本実施形態では、第１特別図柄の保留球と、第２特別図柄の保留球が保留されている場合は、第２特別図柄の保留球を優先的に消化するものとして説明するが、第１特別図柄と第２特別図柄の保留球を入賞順に消化するように構成してもよい。
普通図柄保留ランプ２６は、普通図柄が変動中に遊技球がゲート１５を通過したときに、ゲート１５の通過によって得られる普通図柄の変動表示を開始させる権利（最大４個）の保留個数を表示する。
なお、本実施形態では、第１、第２特別図柄表示器２１、２２、普通図柄表示器２３、第１、第２特別図柄保留ランプ２４、２５、及び普通図柄保留ランプ２６を、遊技盤３の遊技領域外に配置するようにしているがこれはあくまでも一例であり、これらの表示器を遊技盤３の遊技領域３ａ内に配置することも勿論可能である。
【００１３】
図２は、最上昇（最大駆動）位置にある可動役物と本実施形態に係る可動体駆動機構とを示す概略図である。
図２に示すように、本実施形態において、可動役物Ａは、連結部６２で連結された２本のアーム６０、６１により支持されており、後に詳細に説明するように、アーム６０、６１が図中上下方向に変位することにより、可動役物Ａも上下方向に駆動される。
なお、アーム６０は、さらに、連結部６０ａにおいて駆動機構と連結されており、駆動機構の動作に伴って、連結部６０ａを中心に図中上下方向に回転する。
駆動機構本体Ｂに設けられた本体側フレーム６４内に、可動フレーム６３が図中上下方向に進退自在に、収容されている。
また、可動フレーム６３の側面には、アーム６１を可動フレーム６３内に進入可能とする空所６３ａ（後述の図３に示す）が設けられている。
また、可動フレーム６３は可動役物Ａに連結されており、駆動機構によって可動フレーム６３が上下に動作することで、可動役物Ａも同様に上下動する。
従って、以下の説明では、可動役物Ａについては、図示及び説明を省略し、可動フレーム６３の動作のみに注目して説明していく。
また、これも後に詳述するが、初期状態では、可動フレーム６３は本体側フレーム６４内に完全に収容されており、アーム６０の全て及びアーム６１の大部分が可動フレーム６３外に退避した状態になっている。
その状態で、連結部６０ａによって駆動機構と連結されたアーム６０が、モータ３０の駆動によって、連結部６０ａを中心に図中上方向に回転すると、アーム６０の動作に連動してアーム６１が可動フレーム６３内に進入し、その後アーム６１の端部が可動フレーム６３内の最上位置に達すると可動フレーム６３に動力が伝達されて、可動フレーム６３は、可動役物Ａとともに（図２の場合では）上昇していく。下降時は、その逆の動作が行われる。
このようにして、図１に示した遊技領域において可動役物Ａの出没動作が行われるが、本実施形態は、可動役物Ａ及び可動フレーム６３が最大駆動位置に達してモータ３０の駆動が停止したときに、アーム６０にモータ３０の動力を伝達する駆動伝達系が、可動役物Ａの重量によって逆回転してしまい、可動役物Ａが下降してしまうことがないように、駆動伝達系をロックするための機構に特徴がある。
【００１４】
以下に、本実施形態における駆動伝達系について詳細に説明する。
図３は、初期状態における可動体駆動機構の駆動伝達系を詳細に説明する透過斜視図である。
図４は、停止状態（ロック状態）における可動体駆動機構の駆動伝達系を詳細に説明する透過斜視図である。
図５は、初期状態における駆動伝達系を詳細に説明する図である。
図６は、停止状態における駆動伝達系を詳細に説明する図である。
図７は、駆動伝達系の各要素を説明する分解斜視図である。
【００１５】
図３乃至図７において、本実施形態に係る可動体駆動機構は、可動体としての可動役物Ａを駆動するモータ等の駆動源（以下、モータと記載する）３０と、可動役物Ａとモータ３０との間を連結して、モータ３０の動力を上記のアーム６０、６１さらには可動フレーム６３（ひいては可動役物Ａ）に伝達するための駆動伝達系（駆動伝達手段）４０と、可動役物Ａが最大駆動位置（上下移動の場合は、最上昇位置）に達してモータ３０の駆動も停止した時（図４）に、駆動伝達手段４０の動作をロックして可動役物Ａを停止位置に保持するロック状態と、可動役物Ａの動作開始時及び動作中（図３）に駆動伝達系４０のロック状態を解除する非ロック状態と、を切り換え可能なロック手段としてのロックレバー５０と、を備えている。
なお、以下に説明する駆動機構の構成はあくまでも一例であり、駆動伝達系を構成するギヤの個数やギヤ同士の接続の態様は、必要に応じて適宜変更可能であることは言うまでも無い。
なお、本実施形態は、駆動伝達系４０のロック／非ロックを行うロックレバー５０が、駆動伝達系４０の駆動を行う同一のモータ３０によって、ロック状態／非ロック状態を切り替えられる点に特徴を有するものである。
【００１６】
［駆動伝達系の構成］
次に、本実施形態の駆動伝達系を構成する各部材（ギヤ）について説明する。
図５、図６に示すように、駆動伝達系４０は、順次噛合する複数のギヤからなる。
具体的には、モータ３０の出力軸（シャフト）に接続され、モータ３０の駆動力を直接伝達されて回転する円形の第１ギヤ４１と、第１ギヤ４１と接続（噛合）した第２ギヤ４２と、以降順次噛合した第３ギヤ４３、第４ギヤ４４、扇型の第５ギヤ４５と、を備えている。
【００１７】
ところで、第５ギヤ４５は、図３、図４に示すように、可動役物Ａを支持するアーム６０の連結部６０ａと第５ギヤ４５の連結部４７とが連結されることで、アーム６０と連結されている。
このアーム６０は、可動役物Ａに直接に組み付けられているアーム６１と、互いの連結部６０ｂ、６１ａが連結する連結部６２において連結されている。
また、アーム６１は、アーム６０に対して、連結部６２を中心に回転可能に軸支されている。
第１ギヤ４１、第２ギヤ４２、第３ギヤ４３、第４ギヤ４４と順次伝達されたモータ３０の駆動力（回転力）によって、第５ギヤ４５は、連結部４７を中心に扇形の周方向に回転する。
【００１８】
これによりアーム６０は、連結部４７（６０ａ）を中心とした第５ギヤの回転方向に準じた方向に上下動し（連結部６０ｂが連結部６０ａを中心に回転する）、それに伴い、連結部６２を介してアーム６０と連結されたアーム６１、さらに、可動役物Ａも図中上下方向に駆動する。
第２ギヤ４２としては、原動ギヤ７０と従動ギヤ８０とを組み合わせた構成を備える時間差ギヤを用いることが出来る。
時間差ギヤとは、駆動源に直接または間接に接続された原動ギヤが駆動を開始した後で、従動ギヤが駆動を開始することにより、従動ギヤに接続された駆動伝達系が遅れて駆動を開始するようにしたギヤである。
本実施形態の構成においては、図７に示すように、原動ギヤ７０は、モータ３０に接続された第１ギヤ４１に接続され、従動ギヤ８０は、第３ギヤ４３に接続されている。
【００１９】
ロック手段としてのロックレバー５０は、図５〜図７に示すように、遊技盤上に軸支され、略「へ」の字型の形状を有しており、可動役物Ａが停止位置（最大駆動位置）にある場合に、第２ギヤ４２の第１柱状部材７２に設けた溝部７５により支持される被支持端５０ａと、第５ギヤ４５に設けたリブ４６を支持して可動役物Ａを停止位置に維持（保持）する支持端５０ｂと、第５ギヤ４５が回転している間、リブ４６に接触している接触部５０ｃを備えている。
ロックレバー５０は、後に詳述するが、図４に示す停止状態において、第２ギヤに設けた溝部７５に被支持端５０ａを支持されつつ、第５ギヤ４５に設けたリブ４６を支持端５０ｂで押圧する。これにより、第５ギヤ４５を図中上方向に付勢して、可動体Ａの重量により各ギヤが押し戻されて逆回転して可動体Ａが降下してしまうのを防止することが出来る。
これが、本実施例でいう、「ロック状態」である。
第２ギヤ４２はモータ３０の駆動を伝達するとともに、ロックレバー５０によるロック、ロックの解除を行う。従って、第２ギヤ４２はロックレバー５０とともに、ロック手段として機能する。
【００２０】
図８は、時間差ギヤとしての第２ギヤの構成を説明する図であり、（ａ）は原動ギヤ７０の説明図、（ｂ）は従動ギヤ８０の説明図、（ｃ）は両ギヤを組み合わせた際の説明図である。
なお、時間差ギヤによる「時間差」は、可動役物Ａを最上昇位置から降下させるに先立って、上述の「ロック状態」を解除するために用いられるものである。
（ａ）に示すように、原動ギヤ７０は、歯車を備えた平型のギヤ部７１と、ギヤ部７１から、その面方向と直交する方向（面直方向）に突出し、中空部７３を備えた第１柱状部７２とを備えている。
【００２１】
また、第１柱状部７２は、その外周面の適所に、ロックレバー５０の被支持端５０ａを係止して支持するための溝部７５を備えている。
また、（ｂ）に示すように、従動ギヤ８０は、歯車を備えたギヤ部８１と、ギヤ８１から径方向と直交する方向（面直方向）に突出した第２柱状部８２とを備えている。
なお、第２柱状部８２の内外周面は、完全には連続しておらず、第２柱状部８２は、切断面８２ａ、８２ｂにおいて一部を切り欠いた略「Ｃ」の字形状である。
【００２２】
また、第１柱状部７２は、第２柱状部８２よりも大径となっており、第２柱状部８２は、第１柱状部７２の中空部７３に嵌合可能となっている。
第１柱状部７２の内側面の一部には，中心側に向けて突出した段差部７４が設けられている。
原動ギヤ７０と従動ギヤ８０を組み合わせる際には、段差部７４が、適度な間隙８３をおいて、第２柱状部８２の切断面８２ａ、８２ｂ間に配置されるようにする。
【００２３】
後に詳述するが、可動役物Ａを降下させるためにロックを解除する場合、モータ３０からの駆動力が第２ギヤ４２に伝達されると、最初に、原動ギヤ７０が図８（ｃ）中矢印方向に回転を開始する。
その際、間隙８３側に第１柱状部７２が回転すると、従動ギヤ８０（第２柱状部８２）に動力を伝達する部材は何も無いため、従動ギヤ８０は回転しない。
その後、時間差をおいて、段差部７４が、切断面８２ａまたは８２ｂに接触すると、第１柱状部７２の回転力が、第２柱状部８２すなわち従動ギヤ８０に伝達されるため、原動ギヤ７０に遅れて従動ギヤ８０も回転を開始する。
このような機構となっているため、第２ギヤ４２は、時間差ギヤと呼ばれる。
このように時間差ギヤ４２を構成する原動・従動ギヤで回転の開始に時間差を設けているのは、ロック時に第１柱状部７２に備えた溝部７５内に支持されたロックレバー５０の被支持端５０ａを、原動ギヤ７０を回転させることによって溝部７５外に離脱させてロックレバーによるロックを解除し、その上で、従動ギヤ８０に動力を伝えて可動役物Ａを駆動させるためである。
【００２４】
図９は、扇形の第５ギヤ４５及びロックレバー５０を拡大して示す図である。
第５ギヤ４５は、ギヤ部４５ａから、その面方向と直交する方向に突出したリブ４６を備えている。
また、リブ４６は、ギヤ部４５ａの径方向に沿った略直線状でありロック時にロックレバー５０に押圧される被押圧部４６ａと、ギヤ部４５ａの周方向に沿った湾曲部４６ｂと、を備えている。
図９に示すように、ロックレバー５０は、端部５０ｄが湾曲部４６ｂに接している。
【００２５】
図１０乃至図１５を用いて、本発明の可動体駆動機構の動作およびその過程におけるロック機構の挙動を説明する。
なお、以下の説明にあたって、可動役物Ａの表示を省略し、可動役物Ａが固定される可動フレーム６３のみを記載するものとする。
【００２６】
図１０は、可動役物が初期位置に存在する場合における駆動伝達系及びロック機構を示す図であり、（ａ）は、駆動伝達系全体を示し、（ｂ）は、ロック／非ロック機構の一部としての第２ギヤを拡大して示している。
図１０（ａ）に示すように、初期状態において、ロックレバー５０は、接触部５０ｃにおいて、第５ギヤ４５のリブ４６の湾曲部４６ｂに接した状態である。
この状態で、第５ギヤ４５がロックされてはいないことは言うまでも無い。
【００２７】
他方、図１０（ｂ）に示すように、ロックレバー５０の他端である被支持端５０ａは、第２ギヤ４２の原動ギヤ７０（第１柱状部７２）の、溝部７５が設けられていない外周面に接した状態にある。つまり、被支持端５０ａは、ロック用の溝部７５から外れた状態にある。
この状態から、モータ３０が駆動を開始すると、まず第１ギヤ４１の回転を伝達されて原動ギヤ７０が回転を開始し、次いで、原動ギヤ７０の段差部７４が、従動ギヤ８０の切断面８２ａに接触することによって、従動ギヤ８０（第２柱状部８２）に駆動力が伝達され、従動ギヤ８０と連結された第３乃至第５ギヤ４３〜４５が回転を開始し、可動役物Ａが駆動を開始する。
【００２８】
図１１は、可動役物Ａが上方に向けて移動をしている期間の駆動伝達系及びロック機構を示す図であり、（ａ）は駆動伝達系全体を示し、（ｂ）は第２ギヤを拡大して示している。
各ギヤの回転方向は、図中矢印で示すとおりである。
（ａ）に示すように、第５ギヤの回転に伴い、リブ４６の角度位置は図１１の時点と異なっているが、以前、湾曲部４６ｂは、ロックレバー５０の接触部５０ｃと接触したままである。
リブ４６は、湾曲部４６ｂにおける接触部５０ｃと接触する部分を変えながら、その角度位置を異ならせていく。
このとき、依然として、第５ギヤ４５の駆動はロックされていない。
また、（ｂ）に示すように、ロックレバー５０の被支持端５０ａは、未だ原動ギヤ７０（第１柱状部７２）の外周面に接触しており、溝部７５からは外れている。
【００２９】
図１２は、可動役物Ａが最大駆動位置に達して停止した時点での駆動伝達系及びロック機構を示す図であり、（ａ）は、駆動伝達系全体を示し、（ｂ）は、第２ギヤを拡大して示している。
（ａ）に示すように、第５ギヤ４５のリブ４６の当接部４６ｂに、ロックレバー５０の支持端５０ｂが当接している。一方、図１２（ｂ）に示すように、ロックレバー５０の被支持端５０ａが、原動ギヤ７０（第１柱状部７２）の溝部７５内に嵌合し、支持されている。
溝部７５によってロックレバー５０の被支持端５０ａが支持され、さらに、
ロックレバー５０の支持端５０ｂによって第５ギヤのリブ４６が支持されることにより、第５ギヤは図中上方向に付勢され、ロックされている。
従って、モータ３０の駆動が停止しても、可動役物Ａの重みによって、第５ギヤ４５が図中下方向に押し戻されて、アーム６０、６１、さらには可動役物Ａが降下するということが無くなる。
【００３０】
図１３は、可動役物Ａが最大駆動位置から初期位置に復帰するに先だって第５ギヤのロックを解除する過程における駆動伝達系及びロック機構を示す図であり、（ａ）は、駆動伝達系全体を示し、（ｂ）、（ｃ）、（ｄ）は、第２ギヤを拡大して示している。
可動役物Ａが初期位置に向けて駆動する場合、モータ３０が図１０乃至図１２の場合とは逆方向に回転する（逆回転）。
従って、各ギヤの回転方向も、当然、図１０乃至図１２とは逆方向となる。
図１２の時点で、ロックレバー５０の被支持端５０ａは、原動ギヤ７０（第１柱状部７２）の溝部７５内に嵌合している。
【００３１】
第５ギヤのロックを解除するために、まず、ロックレバー５０の被支持端５０ａを、溝部７５から離脱させる。
まず、図１３（ｂ）に示すように、モータ３０の駆動力によって、原動ギヤ７０が、図中矢印方向に回転を開始する。
その際、原動ギヤ７０の段差部７４と、従動ギヤ８０の切断面８２ｂとの間には、間隙８３が存在するため、原動ギヤ７０の駆動力は直ぐには従動ギヤ８０には伝達されない。
この伝達の時間差を利用して、被支持端５０ａの嵌合を解除する。
まず、原動ギヤ７０が図中矢印方向に回転すると、図１３（ｃ）に示すように溝部７５の壁面７５ａがロックレバーの被支持端５０ａに接近する。
そして、原動ギヤ７０がさらに回転すると、図１３（ｄ）に示すように、被支持端５０ａが壁面７５ａを乗り上げるかたちで、被支持端５０ａの溝部７５への嵌合が解除され、第５ギヤ４５のロックも解除される。
【００３２】
図１４は、可動役物Ａが下方に向けて移動をしている期間の駆動伝達系及びロック機構を示す図であり、（ａ）は、駆動伝達系全体を示し、（ｂ）は、第２ギヤを拡大して示している。
図１４（ｂ）に示すように、原動ギヤ７０の段差部７４が従動ギヤ８０の切断面８２ｂに当接することで、原動ギヤ７０の駆動力が従動ギヤ８０に伝達されて、従動ギヤ８０が回転を開始すると、ロックレバー５０の被支持端５０ａは、原動ギヤ７０の外周面と接触する。
そして、図１４（ａ）に示すように、ロックレバー５０の支持端５０ｂが、第５ギヤ４５のリブ４６における接触部４６ｂを離れ、湾曲部４６ｂに接触する。
このままモータ３０の駆動に伴って、第５ギヤ４５は図中矢印方向（下方）に回転し、リブ４６の湾曲部４６を、ロックレバー５０の接触部５０ｃに接触させながら角度位置を変えていく。アーム６０、６１、さらに可動役物Ａも下方に移動する。そして、最終的には、図１５に示すような初期状態に復帰するのである。
【符号の説明】
【００３３】
１  パチンコ遊技機、２  枠、３  遊技盤、５  発射レバー、６  演出ボタン、１１  画像表示器、１２  変動入賞装置、１３  上始動口、１４  電チュー、１５  ゲート、１６  大入賞口、１７  一般入賞口、１８  アウト口、２１  特別図柄表示器、２２  特別図柄表示器、２３  普通図柄表示器、２４  特別図柄保留ランプ、２５  特別図柄保留ランプ、２６  普通図柄保留ランプ、３０  モータ、４０  駆動伝達系、４１  第１ギヤ、４２  第２（時間差）ギヤ、４２ａ  原動ギヤ、４２ｂ  従動ギヤ、４３  第３ギヤ、４４  第４ギヤ、４５  第５ギヤ、４６  リブ、４６ａ  湾曲部、４６ｂ  当接部、５０  ロックレバー、５０ａ  被支持端、５０ｂ  支持端、５０ｃ  接触部、６０  アーム、６１  アーム、６２  連結部、７０  原動ギヤ、７１  ギヤ部、７２  柱状部、７３  中空部、７４  段差部、７５  溝部、７５ａ  壁面、８０  従動ギヤ、８１  ギヤ部、８２  柱状部、８２ａ  切断面、８２ｂ  切断面、８３  間隙
【図１】
2014033826.tif 000003
【図２】
2014033826.tif 000004
【図３】
2014033826.tif 000005
【図４】
2014033826.tif 000006
【図５】
2014033826.tif 000007
【図６】
2014033826.tif 000008
【図７】
2014033826.tif 000009
【図８】
2014033826.tif 000010
【図９】
2014033826.tif 000011
【図１０】
2014033826.tif 000012
【図１１】
2014033826.tif 000013
【図１２】
2014033826.tif 000014
【図１３】
2014033826.tif 000015
【図１４】
2014033826.tif 000016
【図１５】
2014033826.tif 000017